(57)【要約】【課題】本発明は、クランプが抜かれる方向に力がかけられた場合にクランプの変形を抑制することができる技術を提供することを目的とする。【解決手段】クランプ１０は、取付対象物８０に形成された取付孔８０ｈに係止可能に形成されている。クランプ１０は、係止部２０と変形抑制部３０とを備える。係止部２０は、支柱部２２と、前記支柱部２２の先端から前記支柱部２２の基端側に向けて外側に広がりつつ延在する一対の羽部２４とを含み、前記一対の羽部２４が前記取付孔８０ｈに挿入可能に、且つ挿入後に係止可能に弾性変形可能である。変形抑制部３０は、前記羽部２４に設けられた引掛り部３２と、前記支柱部２２に設けられ、前記係止部２０が前記取付孔８０ｈに係止した状態で前記取付孔８０ｈから抜かれる方向に力がかけられた際に前記引掛り部３２に引掛かって前記一対の羽部２４の少なくとも一部の変形を規制する被引掛り部３６とを含む。【選択図】図１
2017025946.tif 000002
【特許請求の範囲】
【請求項１】
取付対象物に形成された取付孔に係止可能に形成されたクランプであって、
支柱部と、前記支柱部の先端から前記支柱部の基端側に向けて外側に広がりつつ延在する一対の羽部とを含み、前記一対の羽部が前記取付孔に挿入可能に、且つ挿入後に係止可能に弾性変形可能な係止部と、
前記羽部に設けられた引掛り部と、前記支柱部に設けられ、前記係止部が前記取付孔に係止した状態で前記取付孔から抜かれる方向に力がかけられた際に前記引掛り部に引掛かって前記一対の羽部の少なくとも一部の変形を規制する被引掛り部とを含む変形抑制部と、
を備える、クランプ。
【請求項２】
請求項１に記載のクランプであって、
前記引掛り部は、前記羽部の先端側の側面から前記羽部の幅方向に沿って突出する羽部側リブを含み、
前記被引掛り部は、前記支柱部の先端側の側面から前記羽部の側方に向けて突出する支柱部側リブを含み、
前記係止部に抜かれる方向の力がかけられた際に前記羽部側リブと前記支柱部側リブとが前記支柱部の延在方向に沿って接触するように形成されている、クランプ。
【請求項３】
請求項２に記載のクランプであって、
前記羽部側リブ及び前記支柱部側リブの相互に引っ掛かる部分は、平面状に形成されている、クランプ。
【請求項４】
請求項２又は請求項３に記載のクランプであって、
前記取付孔に係止する前の状態で、前記羽部側リブと前記支柱部側リブとは支柱部の延在方向から見て離れた位置に形成されている、クランプ。
【請求項５】
請求項１から請求項４のいずれか１項に記載のクランプと、
前記クランプが取り付けられた電線と、
を備える、クランプ付電線。
【発明の詳細な説明】
【技術分野】
【０００１】
この発明は、電線等に取付けられ、電線を取付対象物に固定するクランプに関する。
【背景技術】
【０００２】
電線等に取付けられ、電線を取付対象物に固定するクランプが、例えば、特許文献１に開示されている。
【０００３】
特許文献１に記載のクランプは、一対の係止片の外側に支柱の先端方向に切り込んだ切り込み部を係止孔の孔径よりも小径の位置に設けることで、保持力を低下させることなく、係止片を相手側の係止孔に挿入する挿入力を低下させることができるとされている。
【先行技術文献】
【特許文献】
【０００４】
【特許文献１】特開２０００−１１０９６７号公報
【発明の概要】
【発明が解決しようとする課題】
【０００５】
しかしながら、特許文献１に記載のクランプでは、係止片に切れ込み部を設けることで係止片のうち切れ込み部が設けられた部分が薄肉になってしまう。このため、クランプが抜かれる方向に力がかけられると、当該薄肉部分周辺が容易に変形してしまい、抜けてしまう恐れがある。
【０００６】
そこで、本発明は、クランプが抜かれる方向に力がかけられた場合にクランプの変形を抑制することができる技術を提供することを目的とする。
【課題を解決するための手段】
【０００７】
上記課題を解決するため、第１の態様に係るクランプは、取付対象物に形成された取付孔に係止可能に形成されたクランプであって、支柱部と、前記支柱部の先端から前記支柱部の基端側に向けて外側に広がりつつ延在する一対の羽部とを含み、前記一対の羽部が前記取付孔に挿入可能に、且つ挿入後に係止可能に弾性変形可能な係止部と、前記羽部に設けられた引掛り部と、前記支柱部に設けられ、前記係止部が前記取付孔に係止した状態で前記取付孔から抜かれる方向に力がかけられた際に前記引掛り部に引掛かって前記一対の羽部の少なくとも一部の変形を規制する被引掛り部とを含む変形抑制部と、を備える。
【０００８】
第２の態様に係るクランプは、第１の態様に係るクランプであって、前記引掛り部は、前記羽部の先端側の側面から前記羽部の幅方向に沿って突出する羽部側リブを含み、前記被引掛り部は、前記支柱部の先端側の側面から前記羽部の側方に向けて突出する支柱部側リブを含み、前記係止部に抜かれる方向の力がかけられた際に前記羽部側リブと前記支柱部側リブとが前記支柱部の延在方向に沿って接触するように形成されている。
【０００９】
第３の態様に係るクランプは、第２の態様に係るクランプであって、前記羽部側リブ及び前記支柱部側リブの相互に引っ掛かる部分は、平面状に形成されている。
【００１０】
第４の態様に係るクランプは、第２又は第３の態様に係るクランプであって、前記取付孔に係止する前の状態で、前記羽部側リブと前記支柱部側リブとは支柱部の延在方向から見て離れた位置に形成されている。
【００１１】
第５の態様に係るクランプ付電線は、第１から第４のいずれか１つの態様に係るクランプと、前記クランプが取り付けられた電線と、を備える。
【発明の効果】
【００１２】
第１から第４の態様によると、支柱部と、支柱部の先端から支柱部の基端側に向けて外側に広がりつつ延在する一対の羽部とを含み、取付孔に挿入可能に、且つ挿入後に係止可能に形成された係止部と、羽部に設けられた引掛り部と、支柱部に設けられ、係止部が取付孔に係止した状態で取付孔から抜かれる方向に力がかけられた際に引掛り部に引掛かる被引掛り部とを含む変形抑制部と、を備えるため、クランプが抜かれる方向に力がかけられた場合にクランプの変形を抑制することができる。
【００１３】
特に、第２の態様によると、引掛り部は、羽部の先端側の側面から羽部の幅方向に沿って突出する羽部側リブを含み、被引掛り部は、支柱部の先端側の側面から羽部の側方に向けて突出する支柱部側リブを含むため、係止部が取付孔に係止した状態で取付孔から抜かれる方向に力がかけられた際に羽部側リブと支柱部側リブとが引っ掛かる。このとき、係止部に抜かれる方向の力がかけられた際に羽部側リブと支柱部側リブとが支柱部の延在方向に沿って接触するように形成されているため、羽部側リブと支柱部側リブとが係止部を取付孔に挿入する際の係止部の弾性変形を妨げることを抑制することができる。
【００１４】
特に、第３の態様によると、羽部側リブ及び支柱部側リブの相互に引っ掛かる部分は、平面状に形成されているため、係止部が取付孔に係止した状態で取付孔から抜かれる方向に力がかけられた際に羽部側リブと支柱部側リブとがより確実に引っ掛かることができる。
【００１５】
特に、第４の態様によると、取付孔に係止する前の状態で、羽部側リブと支柱部側リブとは支柱部の延在方向から見て離れた位置に形成されているため、金型を用いてクランプを製造する際にアンダーカット形状が抑制されることによって製造が容易になる。
【００１６】
特に、第５の態様によると、第１から第４のいずれか１つの態様に係るクランプと、前記クランプが取り付けられた電線と、を備えるため、クランプが抜かれる方向に力がかけられた場合に引掛り部が被引掛り部に引掛かることによってクランプの変形を抑制することができる。
【図面の簡単な説明】
【００１７】
【図１】実施形態に係るクランプを示す斜視図である。
【図２】実施形態に係るクランプを示す正面図である。
【図３】図２の断面図である。
【図４】図２の部分拡大図である。
【図５】実施形態に係るクランプが取付孔に係止した状態を示す断面図である。
【図６】実施形態に係るクランプが取付孔に係止した状態を示す部分拡大図である。
【図７】実施形態に係るクランプが取付孔に係止した状態で抜かれる方向に力がかけられた様子を説明する正面図である。
【図８】図７の断面図である。
【図９】図７の部分拡大図である。
【図１０】実施形態に係るクランプ付電線を示す正面図である。
【発明を実施するための形態】
【００１８】
｛実施形態｝
以下、実施形態に係るクランプについて説明する。図１は、実施形態に係るクランプ１０を示す斜視図である。図２は、実施形態に係るクランプ１０を示す正面図である。図３は、図２の断面図である。図３は、支柱部２２の中央を通って支柱部２２の延在方向に沿った面で切断した断面図である。図４は、図２の部分拡大図である。
【００１９】
クランプ１０は、車両のパネルなどの取付対象物８０に形成された取付孔８０ｈに係止可能に形成されている。クランプ１０は電線等に取付けられ、当該電線等を車両に固定するために用いられる。具体的には、クランプ１０は、係止部２０と変形抑制部３０とを備える。
【００２０】
係止部２０は、取付孔８０ｈに挿入可能に、且つ挿入後に係止可能に形成された部分である。具体的には、係止部２０は、支柱部２２と一対の羽部２４とを含む。
【００２１】
支柱部２２は、係止部２０が取付孔８０ｈに係止した状態で取付孔８０ｈの内側に位置する部分を含む。支柱部２２の基端側にはクランプ１０を電線に取り付けるための電線取付部等が設けられる。
【００２２】
一対の羽部２４は、支柱部２２の先端から支柱部２２の基端側に向けて外側に広がりつつ延在するように形成されている。一対の羽部２４は、取付孔８０ｈに挿入可能に、且つ挿入後に係止可能に弾性変形可能に形成されている。一対の羽部２４の幅寸法は、ここでは、支柱部２２の支柱部２２の厚み寸法（支柱部２２の延在方向及び一対の羽部２４を結ぶ方向に直交する方向における寸法）よりも小さく設定されている。
【００２３】
一対の羽部２４の先端側には、段差部２４ａが設けられている。当該段差部２４ａのうち羽部２４の基端側部分に、一対の羽部２４の外向き面の間隔が最大となる部分（最外寸部２４ｂ）が設けられており、当該最外寸部２４ｂの間隔は、取付孔８０ｈよりも大きく設定されている。また、一対の羽部２４は、最外寸部２４ｂの間隔が取付孔８０ｈ以下となるように弾性変形可能に形成されている。
【００２４】
係止部２０を取付孔８０ｈに挿入させていくと、最外寸部２４ｂの間隔が小さくなるように羽部２４が弾性変形しつつ取付孔８０ｈ内を進んでいく。そして、最外寸部２４ｂが取付孔８０ｈを抜けると羽部２４が弾性復帰し始め、段差部２４ａが取付孔８０ｈの周縁に引っ掛かる。これにより、係止部２０を取付孔８０ｈから抜こうとしても、段差部２４ａが取付孔８０ｈの周縁に引っ掛かることによって、移動不可となる。なお、クランプ１０をさらに取付孔８０ｈに挿し込む方向については、電線取付部又は電線等が取付孔８０ｈの周縁に引っ掛かり移動不可となる。この状態を以て係止部２０が取付孔８０ｈに係止した状態となり、クランプ１０が取付対象物８０に取り付けられた状態となる。
【００２５】
変形抑制部３０は、係止部２０が取付孔８０ｈに係止した状態で、クランプ１０に対して取付孔８０ｈから抜かれる方向に力がかけられた際に、羽部２４の変形を規制する部分である。具体的には、変形抑制部３０は、引掛り部３２と被引掛り部３６とを含む。
【００２６】
引掛り部３２は、羽部２４に設けられている。ここでは、引掛り部３２は、羽部側リブ３４を含む。
【００２７】
羽部側リブ３４は、羽部２４の先端側の側面から羽部２４の幅方向に沿って突出するように形成されている。より詳細には、羽部側リブ３４は、羽部２４の先端から中間部分にかけての側面から羽部２４の幅方向に沿って突出するように形成されている。ここでは、羽部側リブ３４は、羽部２４からの突出方向に沿って支柱部２２よりも外側に出っ張らないように形成されている。
【００２８】
被引掛り部３６は、支柱部２２に設けられている。被引掛り部３６は、係止部２０が取付孔８０ｈに係止した状態で取付孔８０ｈから抜かれる方向に力がかけられた際に引掛り部３２に引掛かって一対の羽部２４の少なくとも一部の変形を規制可能に形成されている。ここでは、被引掛り部３６は、支柱部側リブ３８を含む。
【００２９】
支柱部側リブ３８は、支柱部２２の先端側の側面から羽部２４の基端側の側方に向けて突出するように形成されている。より詳細には、支柱部側リブ３８は、支柱部２２の延在方向に沿って支柱部２２の先端部から中間部分にかけての側面から突出するように形成されている。また、支柱部側リブ３８は、支柱部２２の厚み方向に沿って支柱部２２の中間部分であって、羽部２４と間隔をあけた位置に形成されている。
【００３０】
ここでは、羽部側リブ３４と支柱部側リブ３８とはそれぞれ４つずつ設けられている。より詳細には、１つの羽部２４に対してその先端の両側方にそれぞれ羽部側リブ３４が設けられている。また、支柱部２２の１側方において、上記１つの羽部２４の両側方に設けられた羽部側リブ３４に引掛かるように、支柱部２２から羽部２４の両側方に向けてそれぞれ支柱部側リブ３８が設けられている。もっとも、羽部側リブ３４と支柱部側リブ３８との数は適宜設定されていればよい。１つの羽部２４に対して少なくとも１つの羽部側リブ３４が設けられていることが好ましい。
【００３１】
羽部側リブ３４及び支柱部側リブ３８の相互に引っ掛かる部分は、平面状に形成されている。より詳細には、羽部側リブ３４のうち支柱部２２の延在方向に沿って先端側を向く面（以下、羽部側リブ３４の上面３４ａと称する）と、支柱部側リブ３８のうち支柱部２２の延在方向に沿って基端側を向く面（以下、支柱部側リブ３８の下面３８ａと称する）とが平面状に形成されている。さらにここでは、係止部２０が取付孔８０ｈに係止する前の状態で、羽部側リブ３４の上面３４ａと支柱部側リブ３８の下面３８ａとは平行に設定されると共に、支柱部２２の延在方向に直交するように設定されている。
【００３２】
さらにここでは、係止部２０が取付孔８０ｈに係止する前の状態で、羽部側リブ３４と支柱部側リブ３８とは支柱部２２の延在方向から見て離れた位置に形成されている。そして、係止部２０が取付孔８０ｈに係止するのに伴い一対の羽部２４がその間隔が縮まるように撓むことで、羽部側リブ３４と支柱部側リブ３８とは支柱部２２の延在方向から見て少なくとも一部が重なるように形成されている。
【００３３】
またここでは、係止部２０が取付孔８０ｈに係止する前の状態で、羽部側リブ３４と支柱部側リブ３８とは支柱部２２の延在方向に沿って離れた位置に形成されている。つまり、羽部側リブ３４の上面３４ａは、支柱部側リブ３８の下面３８ａよりも支柱部２２の基端部側に位置するように設けられている。さらにここでは、係止部２０が取付孔８０ｈに係止した状態でも羽部側リブ３４と支柱部側リブ３８とは支柱部２２の延在方向に沿って離れた位置に形成されている。そして、係止部２０が取付孔８０ｈに係止した状態で係止部２０が抜かれる方向の力がかけられた際に一対の羽部２４が支柱部２２の延在方向に沿って若干変形することで、羽部側リブ３４の上面３４ａと支柱部側リブ３８の下面３８ａとが支柱部２２の延在方向に沿って接触するように形成されている。
【００３４】
もっとも、係止部２０が取付孔８０ｈに係止する前の状態、又は係止部２０が取付孔８０ｈに係止した状態で、羽部側リブと支柱部側リブとが支柱部２２の延在方向に沿って当接するように形成されていてもよい。しかしながら、係止部２０が取付孔８０ｈに係止する前の状態、及び係止部２０が取付孔８０ｈに係止した状態のいずれの状態でも、羽部側リブ３４と支柱部側リブ３８とが支柱部２２の延在方向に沿って離れた位置に形成されていることによって、羽部側リブ３４と支柱部側リブ３８とが取付孔８０ｈへの係止部２０の係止の邪魔になりにくい。
【００３５】
＜係止に係る動作＞
次に、クランプ１０を取付孔８０ｈに係止させる動作について説明する。図５は、実施形態に係るクランプ１０が取付孔８０ｈに係止した状態を示す断面図である。図６は、実施形態に係るクランプ１０が取付孔８０ｈに係止した状態を示す部分拡大図である。
【００３６】
クランプ１０を支柱部２２の先端から支柱部２２の延在方向に沿って取付孔８０ｈに挿入していくと、やがて一対の羽部２４のうち取付孔８０ｈより大きく設定された部分が取付孔８０ｈの周縁に接触する。この状態からクランプ１０を取付孔８０ｈにさらに挿入しようとすると、クランプ１０は、一対の羽部２４がその間隔が縮まるように弾性変形しつつ、取付孔８０ｈに徐々に挿入されていく。この際、最外寸部２４ｂが取付孔８０ｈ以下まで弾性変形することで最外寸部２４ｂが取付孔８０ｈを通過可能となる。最外寸部２４ｂが取付孔８０ｈを通過した後、一対の羽部２４が弾性復帰し始めると、羽部２４のうち段差部２４ａより先端側の外周面が取付孔８０ｈの内周面に当接する。これにより、係止部２０が取付孔８０ｈに係止した状態となる。
【００３７】
この際、係止部２０が取付孔８０ｈに係止した状態で一対の羽部２４は、完全に弾性復帰せずに若干撓むように設定されている。これにより、羽部側リブ３４と支柱部側リブ３８とが支柱部２２の延在方向から見て少なくとも一部が重なるようになる。
【００３８】
また、ここでは、係止部２０が取付孔８０ｈに係止する前の状態で、羽部側リブ３４の上面３４ａと支柱部側リブ３８の下面３８ａとが、それぞれ支柱部２２の延在方向に直交する平面状に形成されている。このため、係止部２０が取付孔８０ｈに係止した状態で一対の羽部２４が撓むことで、羽部側リブ３４の上面３４ａが傾斜する。これにより、羽部側リブ３４の上面３４ａのうち支柱部２２側の端部が支柱部２２側とは反対側の端部に比べて支柱部側リブ３８に近い位置に位置する。
【００３９】
また、係止部２０が取付孔８０ｈに係止する前の状態、及び係止部２０が取付孔８０ｈに係止した状態のいずれの状態でも、羽部側リブ３４と支柱部側リブ３８とが支柱部２２の延在方向に沿って離れた位置に形成されている。このため、一対の羽部２４がその間隔が縮まるように弾性変形する際に羽部側リブ３４と支柱部側リブ３８とは当接しない。これにより、一対の羽部２４がその間隔が縮まるように弾性変形するに当たり、羽部側リブ３４と支柱部側リブ３８とが一対の羽部２４の弾性変形を妨げることが抑制される。従って、変形抑制部３０は、取付孔８０ｈへの係止部２０の係止の邪魔になりにくい。
【００４０】
＜抜きに係る動作＞
次に、取付孔８０ｈに係止したクランプ１０を抜こうとした際のクランプ１０の動作について説明する。図７は、実施形態に係るクランプ１０が取付孔８０ｈに係止した状態で抜かれる方向に力がかけられた様子を説明する正面図である。図８は、図７の断面図である。図８は、図３と同様な面に沿って切断した断面図である。図９は、図７の部分拡大図である。
【００４１】
図９に示すように、クランプ１０が取付孔８０ｈに係止した状態で抜かれる方向に力Ｆ１がかけられると、一対の羽部２４、より詳細には、一対の羽部２４の段差部２４ａの拡径部分は取付孔８０ｈの周縁から当該抜かれる方向とは反対方向への力Ｆ２を受ける。ここでは、クランプ１０が抜かれる方向とは支柱部２２の延在方向に沿った方向であるものとして説明する。もっとも、クランプ１０が抜かれる方向は支柱部２２の延在方向に沿った方向に対して若干傾斜する方向である場合もあり得る。
【００４２】
一対の羽部２４が取付孔８０ｈの周縁から上記力Ｆ２を受けると、一対の羽部２４は支柱部２２に対して支柱部２２の延在方向に沿って一方側に寄せられるように変形しようとする。この場合、例えば、一対の羽部２４のうち最も薄肉の部分又は基端部等、応力が集中しやすい部分が曲がるなどすることが考えられる。
【００４３】
変形抑制部３０が設けられていないクランプの場合、一対の羽部における上記変形が大きくなると、最外寸部の間隔が狭まる、又は段差部の向きが変わるなどすることによって一対の羽部が取付孔８０ｈから抜けてしまう恐れがある。
【００４４】
これに対してここでは、クランプ１０に変形抑制部３０が設けられているため、一対の羽部２４が支柱部２２の延在方向に沿って若干変形した状態で、羽部側リブ３４が支柱部側リブ３８に当接する。このため、羽部側リブ３４が支柱部側リブ３８に当接した後の、一対の羽部２４の支柱部２２の延在方向に沿った変形を抑制することができる。
【００４５】
この際、ここでは、羽部側リブ３４の上面３４ａ及び支柱部側リブ３８の下面３８ａが平面状に形成されているため当接可能な領域が比較的広いことによって、より確実に羽部側リブ３４が支柱部側リブ３８に当接する。
【００４６】
さらにここでは、羽部側リブ３４の上面３４ａのうち支柱部２２側の端部が支柱部２２側とは反対側の端部に比べて支柱部側リブ３８に近い位置に位置しているため、羽部側リブ３４の上面３４ａのうち支柱部２２側の端部のエッジが支柱部側リブ３８の下面３８ａに当接する。これにより、さらに抜かれる方向に力がかけられても、羽部側リブ３４の上面３４ａが支柱部側リブ３８の下面３８ａに沿って滑るような変形は生じにくい。また、羽部側リブ３４が支柱部側リブ３８と当接しているエッジを中心に羽部２４が回転するような変形が生じた場合でも、その変形の途中で羽部側リブ３４の上面３４ａと支柱部側リブ３８の下面３８ａとが平行になるときがあり、そのとき、両者は面接触する。このため、それ以上の変形が生じにくくなる。
【００４７】
＜クランプ付電線１００＞
次に、実施形態に係るクランプ付電線１００に付いて説明する。図１０は、実施形態に係るクランプ付電線１００を示す正面図である。
【００４８】
クランプ付電線１００は、上記クランプ１０と、上記クランプ１０が取り付けられた電線と、を備える。
【００４９】
電線は、少なくとも１本含まれていればよい。電線は、芯線の外周に樹脂が押出被覆等されることで被覆部が形成された構成とされている。ここでは、複数の電線が束ねられた電線束６０の例で説明する。なお、電線束６０には、光ファイバ等が電線に沿って配設されていてもよい。電線は、車両等の配設対象箇所に配設された状態で、車両等に搭載された各種電気機器同士を電気的に接続するものとして用いられる。なお、図１０では、電線束６０の概形が描かれている。
【００５０】
図１０に示す例では、クランプ１０はプロテクタ５０の外面に突設されている。そして、クランプ１０が設けられた当該プロテクタ５０が電線束６０に取り付けられることで、クランプ１０が電線束６０に取り付けられている。
【００５１】
より詳細には、図１０に示す例では、プロテクタ５０は、電線束６０の３方を囲えるように基板部５２と基板部５２の両端に起立して形成された一対の側壁部５４とを備える。クランプ１０は、基板部５２の外面上に、支柱部２２の延在方向が基板部５２の主面に直交するように突設されている。この際、基板部５２には、基板部５２の主面に直交する方向から見て一対の羽部２４と重なる位置に貫通孔５２ｈが形成されている。これにより、当該クランプ１０付のプロテクタ５０を金型によって成型する際に、アンダーカット形状を抑制することができる。このことと、上記羽部側リブ３４と支柱部側リブ３８との形状とをもって、当該クランプ１０付のプロテクタ５０の製造が容易になる。
【００５２】
実施形態に係るクランプ１０及びクランプ付電線１００によると、支柱部２２と、支柱部２２の先端から支柱部２２の基端側に向けて外側に広がりつつ延在する一対の羽部２４とを含み、取付孔８０ｈに挿入可能に、且つ挿入後に係止可能に形成された係止部２０と、羽部２４に設けられた引掛り部３２と、支柱部２２に設けられ、係止部２０が取付孔８０ｈに係止した状態で取付孔８０ｈから抜かれる方向に力がかけられた際に引掛り部３２に引掛かる被引掛り部３６とを含む変形抑制部３０と、を備えるため、クランプ１０が抜かれる方向に力がかけられた場合にクランプ１０の変形を抑制することができる。
【００５３】
また、引掛り部３２は、羽部２４の先端側の側面から羽部２４の幅方向に沿って突出する羽部側リブ３４を含み、被引掛り部３６は、支柱部２２の先端側の側面から羽部２４の側方に向けて突出する支柱部側リブ３８を含むため、係止部２０が取付孔８０ｈに係止した状態で取付孔８０ｈから抜かれる方向に力がかけられた際に羽部側リブ３４と支柱部側リブ３８とが引っ掛かる。このとき、係止部２０に抜かれる方向の力がかけられた際に羽部側リブ３４と支柱部側リブ３８とが支柱部２２の延在方向に沿って接触するように形成されているため、羽部側リブ３４と支柱部側リブ３８とが係止部２０を取付孔８０ｈに挿入する際の係止部２０の弾性変形を妨げることを抑制することができる。
【００５４】
また、羽部側リブ３４及び支柱部側リブ３８の相互に引っ掛かる部分は、平面状に形成されているため、係止部２０が取付孔８０ｈに係止した状態で取付孔８０ｈから抜かれる方向に力がかけられた際に羽部側リブ３４と支柱部側リブ３８とがより確実に引っ掛かることができる。さらに、金型を用いてクランプ１０を形成する際に金型の形成が容易になる。
【００５５】
また、取付孔８０ｈに係止する前の状態で、羽部側リブ３４と支柱部側リブ３８とは支柱部２２の延在方向から見て離れた位置に形成されているため、金型を用いてクランプ１０を製造する際にアンダーカット形状が抑制されることによって製造が容易になる。
【００５６】
｛変形例｝
実施形態に係るクランプ１０において、引掛り部３２は羽部側リブ３４を含み、被引掛り部３６は支柱部側リブ３８を含むものとして説明したが、このことは必須ではない。例えば、引掛り部と被引掛り部とのうち一方にリブが形成されると共に他方に凹部が形成され、リブが凹部の内周面等に引掛る構成であってもよい。
【００５７】
また、クランプは、皿部をさらに備える構成であってもよい。この場合、例えば、皿部は、支柱部２２の基端部に設けられ、円板状又は長円板状等の形状に形成された底部と、底部に対して支柱部２２側において底部の外縁から外側に広がりつつ延在するように形成された胴部とを含む構成が考えられる。皿部は、係止部２０が取付孔８０ｈに係止した状態で胴部の外縁が取付孔８０ｈの周縁に接することで、皿バネの役割を果たす部分である。
【００５８】
また、実施形態に係るクランプ付電線１００において、クランプ１０はプロテクタ５０を介して電線束６０に取り付けられるものとして説明したがこのことは必須ではない。クランプ１０は他の手段によって電線束６０に取り付けられていてもよい。例えば、クランプは、テープ巻によって電線束６０に取り付けられていてもよい。この場合、例えば、クランプは支柱部２２の基端部に設けられた長方形板状部をさらに備え、当該長方形板状部と電線束６０との周囲にテープを巻付ける構成が考えられる。また例えば、クランプは、バンドによって電線束６０に取り付けられていてもよい。この場合、例えば、クランプは支柱部２２の基端部に設けられたバンド固定部とバンド固定部から延在するように設けられバンド部とを備え、バンド部を電線束６０に巻付けつつバンド固定部に固定する構成が考えられる。
【００５９】
なお、上記実施形態及び各変形例で説明した各構成は、相互に矛盾しない限り適宜組み合わせることができる。
【００６０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６１】
１０  クランプ
２０  係止部
２２  支柱部
２４  羽部
３０  変形抑制部
３２  引掛り部
３４  羽部側リブ
３４ａ  上面
３６  被引掛り部
３８  支柱部側リブ
３８ａ  下面
５０  プロテクタ
６０  電線
８０  取付対象物
８０ｈ  取付孔
１００  クランプ付電線
【図１】
2017025946.tif 000003
【図２】
2017025946.tif 000004
【図３】
2017025946.tif 000005
【図４】
2017025946.tif 000006
【図５】
2017025946.tif 000007
【図６】
2017025946.tif 000008
【図７】
2017025946.tif 000009
【図８】
2017025946.tif 000010
【図９】
2017025946.tif 000011
【図１０】
2017025946.tif 000012